(57)【特許請求の範囲】
【請求項１】
ウォークイン機構部を作動することにより、メモリー機構部及びロック部材を介して、シート部の前後方向移動をロック及びアンロックするようにし、前記メモリー機構部を少なくとも１枚の基板上に組み付けることによりユニット化したシートスライド装置であって、
前記基板のアッパーレール側に、ロック部材を作動する作動レバーを軸着すると共に、前記基板のアッパーレール側で前記作動レバーの自由端側に、前記ロック部材のアンロック状態を保持するメモリーブラケットを軸着し、さらに、前記作動レバーの自由端側と前記メモリーブラケットの作動レバー側との重合部で、前記基板のアッパーレール側に、前記作動レバーの自由端側を保持するメモリー保持ピンを、前記基板に設けたスライド孔と前記メモリーブラケットに設けたスライド孔に挿通した状態で配置することによりメモリー機構部をユニット化し、このユニット化されたメモリー機構部を前記作動レバーの軸着用ピンと前記メモリーブラケットの軸着用ピンとをアッパーレールに固着することにより、前記メモリー機構部を前記アッパーレールに取り付けることができるようにしたことを特徴とするシートスライド装置。
【請求項２】
作動レバーの軸着用ピンは、アッパーレール側に前記作動レバーの位置を決めるつば部を有していることを特徴とする請求項１記載のシートスライド装置。
【請求項３】
メモリーブラケットの軸着用ピンは、アッパーレール側に前記メモリーブラケットの位置を決めるつば部を有していることを特徴とする請求項１記載のシートスライド装置。
【請求項４】
ウォークイン機構部を作動することにより、メモリー機構部及びロック部材を介して、シート部の前後方向移動をロック及びアンロックするようにし、前記メモリー機構部を少なくとも１枚の基板上に組み付けることによりユニット化したシートスライド装置であって、
２枚の基板の間に、メモリー機構部の構成部材が配置可能な空間部を形成し、各基板の内側に、ロック部材を作動する作動レバーを軸着すると共に、この作動レバーの自由端側に前記ロック部材のアンロック状態を保持するメモリーブラケットを軸着し、さらに、前記作動レバーの自由端側と前記メモリーブラケットの作動レバー側との重合部で、前記作動レバーの自由端側を保持するメモリー保持ピンを、前記各基板に設けたスライド孔と前記メモリーブラケットに設けたスライド孔に挿通した状態で配置することにより前記メモリー機構部をユニット化し、前記各基板をアッパーレールに固着することにより、ユニット化された前記メモリー機構部を前記アッパーレールに取り付けることができるようにしたことを特徴とするシートスライド装置。
【請求項５】
基板に設けられたスライド孔は作動レバー及びメモリーブラケットの軸着用ピンを結ぶ線方向に形成され、メモリーブラケットに設けられたスライド孔は、前記メモリーブラケットの時計方向の回動によりメモリー保持ピンをアンロック側に移動可能に傾斜されていることを特徴とする請求項１又は請求項４記載のシートスライド装置。
【発明の詳細な説明】
【０００１】
【発明の属する技術分野】
この発明は、ウォークイン機構を有する車両用シートのシートスライド装置に関する。
【０００２】
【従来の技術】
この種のシートスライド装置においては、前後方向に傾動可能なシートバックを備えたシート部が、フロア側に固定されたロアレールに摺動可能に嵌合されたアッパーレールに取り付けられている。
【０００３】
そして、シートバックを前倒しすると、ウォークイン機構の作動によりシート部の前後方向の移動を阻止しているロック部材のロックが解除され、すなわち、シート部がアンロック状態となり、シート部はばねの付勢力により前方向に移動するように構成されている。
【０００４】
また、このシート部が前方に移動した時点で、ロック部材がロック状態に復元するのを防止するため、図１７に示す作動レバー２とメモリーブラケット３を備えたメモリー機構部１が設けられている。
【０００５】
この作動レバー２は、軸着用ピン２ａによりアッパーレール４に軸着されていると共に、アッパーレール４との間に装架された引張ばね５により時計方向に回動するように付勢されている。
【０００６】
そして、シートバックを前倒しすると、ウォークイン機構の作動により作動レバー２が引張ばね５のばね力に抗して反時計方向に回動してロック部材のロックピン６を下方に押圧し、これによって、ロック部材によるシート部のロックが解除され、シート部の前後方向の移動可能なアンロック状態になるように設定されている。
【０００７】
また、メモリーブラケット３は、軸着用ピン３ａによりアッパーレール４に軸着されていると共に、アッパーレール４との間に装架された引張ばね７により反時計方向に回動するように付勢されている。
【０００８】
そして、このメモリーブラケット３に設けられた傾斜したスライド孔３ｂとアッパーレール４側に設けられた水平のスライド孔４ａに挿通されたメモリー保持ピン８と、作動レバー２及びメモリーブラケット３との協働作用によりシート部を前方に移動させた位置から所定の後方位置に移動させる間、ロック部材をロック解除状態、すなわちシート部をアンロック状態に保持できるように設定されている。
【０００９】
【発明が解決しようとする課題】
ところで、上述したシートスライド装置においては、作動レバー２及びメモリーブラケット３にそれぞれ組み付けられた各軸着用ピン２ａ，３ａをアッパーレール４にかしめ固着するように構成されており、かしめ工程への移行時に部品の脱落事故等が発生することがあり、組付性が悪いという問題があった。
【００１０】
この発明は、上述した問題を解決するためになされたもので、その目的とするところは、組付性の向上を図ったシートスライド装置を提供することにある。
【００１１】
【課題を解決するための手段】
上記目的を達成するため、この発明に係る請求項１のシートスライド装置では、ウォークイン機構部を作動することにより、メモリー機構部及びロック部材を介して、シート部の前後方向移動をロック及びアンロックするようにし、前記メモリー機構部を少なくとも１枚の基板上に組み付けることによりユニット化したシートスライド装置であって、前記基板のアッパーレール側に、ロック部材を作動する作動レバーを軸着すると共に、前記基板のアッパーレール側で前記作動レバーの自由端側に、前記ロック部材のアンロック状態を保持するメモリーブラケットを軸着し、さらに、前記作動レバーの自由端側と前記メモリーブラケットの作動レバー側との重合部で、前記基板のアッパーレール側に、前記作動レバーの自由端側を保持するメモリー保持ピンを、前記基板に設けたスライド孔と前記メモリーブラケットに設けたスライド孔に挿通した状態で配置することによりメモリー機構部をユニット化し、このユニット化されたメモリー機構部を前記作動レバーの軸着用ピンと前記メモリーブラケットの軸着用ピンとをアッパーレールに固着することにより、前記メモリー機構部を前記アッパーレールに取り付けることができるようにしたことを特徴としている。
【００１３】
また、請求項２のシートスライド装置では、作動レバーの軸着用ピンは、アッパーレール側に前記作動レバーの位置を決めるつば部を有していることを特徴としている。
【００１４】
また、請求項３のシートスライド装置では、メモリーブラケットの軸着用ピンは、アッパーレール側に前記メモリーブラケットの位置を決めるつば部を有していることを特徴としている。
【００１５】
また、請求項４のシートスライド装置では、ウォークイン機構部を作動することにより、メモリー機構部及びロック部材を介して、シート部の前後方向移動をロック及びアンロックするようにし、前記メモリー機構部を少なくとも１枚の基板上に組み付けることによりユニット化したシートスライド装置であって、２枚の基板の間に、メモリー機構部の構成部材が配置可能な空間部を形成し、各基板の内側に、ロック部材を作動する作動レバーを軸着すると共に、この作動レバーの自由端側に前記ロック部材のアンロック状態を保持するメモリーブラケットを軸着し、さらに、前記作動レバーの自由端側と前記メモリーブラケットの作動レバー側との重合部で、前記作動レバーの自由端側を保持するメモリー保持ピンを、前記各基板に設けたスライド孔と前記メモリーブラケットに設けたスライド孔に挿通した状態で配置することにより前記メモリー機構部をユニット化し、前記各基板をアッパーレールに固着することにより、ユニット化された前記メモリー機構部を前記アッパーレールに取り付けることができるようにしたことを特徴としている。
【００１６】
また、請求項５のシートスライド装置では、基板に設けられたスライド孔は作動レバー及びメモリーブラケットの軸着用ピンを結ぶ線方向に形成され、メモリーブラケットに設けられたスライド孔は、前記メモリーブラケットの時計方向の回動によりメモリー保持ピンをアンロック側に移動可能に傾斜されていることを特徴としている。
【００１７】
そして、上述した本発明に係る請求項１及び請求項４のシートスライド装置によれば、ロック部材を作動する作動レバー及びロック部材をアンロック状態に保持するメモリーブラケットを各軸着用ピンにより基板に軸着し、また、作動レバーの自由端側を保持するメモリー保持ピンを基板及びメモリーブラケットにそれぞれ設けたスライド孔に挿通することにより、メモリー機構部がユニット化され、このユニット化されたメモリー機構部をアッパーレールに取り付けるようになっているので、メモリー機構部の組付けを極めて容易に行うことができ、組付性の大幅な向上を図ることができる。
【００１８】
また、請求項２及び請求項３のシートスライド装置によれば、作動レバーの軸着用ピン及びメモリーブラケットの軸着用ピンには、軸方向の位置を決めるつば部がそれぞれ形成されているので、作動レバー及びメモリーブラケットの位置決めを容易に行うことができる。
【００１９】
また、請求項５のシートスライド装置によれば、作動レバーをロック及びアンロックするメモリー保持ピンは、基板のスライド孔とメモリーブラケットのスライド孔との協働作用によりロック側及びアンロック側に移動するようになっているので、作動レバーのロック及びアンロックを簡易な構成により行うことができる。
【００２０】
【発明の実施の形態】
以下、この発明の実施の形態を図１〜図１６を参照して説明する。なお、図１〜図１５は第１の実施の形態のシートスライド装置、図１６は第２の実施の形態のシートスライド装置を示している。
【００２１】
まず、図１〜図１５を参照して第１の実施の形態を説明する。
【００２２】
図において、Ｅは車両用シートのシートスライド装置であり、ウォークイン機構部１０を作動することにより、メモリー機構部２０及びロック部材３０を介してシート部４０の前後方向移動をロック及びアンロックするようにしてあり、メモリー機構部２０を１枚の基板２４上に組み付けることによりユニット化してある。
【００２３】
さらに、この第１の実施の形態の構成を詳細に説明する。
【００２４】
車体のフロア５０側には、前後方向に沿って延びる左右一対のロアレール５１（一方のみ図示）が取り付けられており、このロアレール５１にアッパーレール５２が前後方向に沿って移動可能に支持されている。このアッパーレール５２は、シート部４０のシートクッション４１側に取り付けられており、これによって、シート部４０が前後方向に移動可能となっている。尚、シート部４０は図示しないばねにより前方向に付勢されている。
【００２５】
ロアレール５１には、前後方向に沿って複数の係止切欠溝５１ａが等間隔に形成されている。また、アッパーレール５２の前部側には、ロック部材としての板状のロック板３０の基部が枢軸３１により軸着されており、このロック板３０の自由端側に、ロアレール５１の係止切欠溝５１ａに係止可能な複数、例えば３個の係止凸部３０ａが形成されている。
【００２６】
さらに、ロック板３０の中間部には、アッパーレール５２にロック板３０の枢軸３１を中心として形成された円弧状の長孔５２ａに嵌挿するロックピン３２が植設されている。このロックピン３２とアッパーレール５２に形成された係止孔５２ｂとの間には、引張ばね３３が装架されており、この引張ばね３３によってロック板３０は反時計方向、すなわち係止凸部３０ａがロアレール５１の係止切欠溝５１ａに係止する方向に回動するように付勢されている。尚、ロックピン３２を設ける替わりにロック板３０の一部を折り曲げるようにしてもよい。また、引張ばね３３の替わりにトーションばねを用いてもよい。
【００２７】
アッパーレール５２の後部側は、ベースプレート５３が固定されており、このベースプレート５３に植設された枢軸５４には、図示しないリクライニング装置によって前後方向に傾動可能なアーム５５を一体的に取り付けたアーム取付板５６が回動可能に支持されている。このアーム取付板５６には、作動ピン５７が植設されており、アーム５５は、シート部４０のシートバック４２側に取り付けられている。
【００２８】
メモリー機構部２０は、ロック板３０を作動する作動レバー２１と、ロック板３０をアンロック状態に保持するメモリーブラケット２２と、作動レバー２１の一方の自由端２１ａ側を保持するメモリー保持ピン２３とを備えており、各構成部品は、１枚の基板２４上に組み付けられ一体化されてアッパーレール５２に取り付けられている。
【００２９】
作動レバー２１は、くの字状に形成されており、基板２４のアッパーレール５２側に所定の間隔をおいて軸着用ピン２５により軸着されている。この軸着用ピン２５には作動レバー２１の位置を決めるつば部２５ａが形成されている。
【００３０】
また、軸着用ピン２５には、作動レバー２１と基板２４との間にねじりコイルばね２１ｃが巻装されており、このねじりコイルばね２１ｃの一端は作動レバー２１の縁部に、他端は基板２４の縁を折り曲げて形成した係止部２４ａにそれぞれ係止されている。このねじりコイルばね２１ｃによって作動レバー２１は時計方向に回動するように付勢されている。なお、ねじりコイルばね２１ｃのばね力は引張ばね３３のばね力より小さく設定されている。
【００３１】
メモリーブラケット２２は、くの字状に形成されており、基板２４のアッパーレール５２側で作動レバー２１の一方の自由端側に、基板２４と所定の間隔をおいて軸着用ピン２６に軸着されている。この軸着用ピン２６は、アッパーレール５２側に、メモリーブラケット２２の位置を決めるつば部２６ａが形成されており、このつば部２６ａとメモリーブラケット２２との間には、位置決めスペーサ２６ｂが介装されている。なお、スペーサ２６ｂを介装する替わりに、メモリーブラケット２２にバーリング加工によりつば部を一体形成してもよい。
【００３２】
また、軸着用ピン２６には、メモリーブラケット２２と基板２４との間にねじりコイルばね２２ｄが巻装されており、このねじりコイルばね２２ｄの一端はメモリーブラケット２２の縁部に、他端は基板２４の縁を折り曲げて形成した係止部２４ｂにそれぞれ係止されている。このねじりコイルばね２２ｄによってメモリーブラケット２２は反時計方向に回動するように付勢されている。なお、ねじりコイルばね２２ｄのばね力は、引張ばね３３の引張ばねより小さく設定されている。
【００３３】
さらに、メモリーブラケット２２の一方の自由端側には、軸着用ピン２５，２６を結ぶ線方向で基板２４に形成されたスライド孔２４ｃと傾斜して交差するスライド孔２２ｃが形成されており、この各スライド孔２２ｃ，２４ｃに作動レバー２１の一方の自由端２１ａ側を保持するメモリー保持ピン２３が摺動可能に挿通されている。
【００３４】
そして、メモリーブラケット２２のスライド孔２２ｃは、メモリーブラケット２２の時計方向の回動によりメモリー保持ピン２３がアンロック側に、すなわち、基板２４のスライド孔２４ｃを左側に移動可能なように傾斜して形成されている。また、メモリー保持ピン２３には、基板２４とメモリーブラケット２２の間にスライド孔２２ｃ，２４ｃより径大のつば部が形成されている。
【００３５】
このメモリー保持ピン２３がスライド孔２４ｃの右側に移動すると、メモリー保持ピン２３は作動レバー２１の一方の自由端２１ａの運動軌跡内に進入して当接するようになっている。この作動レバー２１の一方の自由端２１ａは、その上面がスライド孔２４ｃに直交してメモリー保持ピン２３に当接し、その下面は、スライド孔２４ｃに傾斜してメモリー保持ピン２３に当接するようになっている。すなわち、作動レバー２１が時計方向に回動しようとした際には、メモリー保持ピン２３がその回動を阻止し、作動レバー２１が反時計方向に回動した際には、自由端２１ａの下面がメモリー保持ピン２３を左側に移動させて、回動を継続するようになっている。
【００３６】
上述したように、基板２４に、作動レバー２１及びメモリーブラケット２２を各軸着用ピン２５，２６でそれぞれ軸着すると共に、各軸着用ピン２５，２６にねじりコイルばね２１ｃ，２２ｄをそれぞれ取り付け、さらに、基板２４及びメモリーブラケット２２の各スライド孔２２ｃ，２４ｃにメモリー保持ピン２３を挿通することにより、メモリー機構部２０は、図１に示すように一体化され、この一体化されたメモリー機構部２０を、図３に示すように、作動レバー２１の軸着用ピン２５とメモリーブラケット２２の軸着用ピン２６とをアッパーレール５２にかしめ固着することにより、メモリー機構部２０をアッパーレール５２に取り付けることができる。
【００３７】
また、ロアレール５１上面には、メモリーロック解除部材５８が取り付けられており、このメモリーロック解除部材５８に、シートバック４２を前倒しして前方に移動したシート部４０が所定の後方位置に移動した際、メモリーブラケット２２の他方の自由端２２ｂが当接するように設定されており、これによって、メモリーブラケット２２が時計方向に回動し、メモリー保持ピン２３が作動レバー２１の一方の自由端２１ａの運動軌跡外に退避するよう基板２４のスライド孔２４ｃ内を左側に移動し、作動レバー２１のロックを解除するようになっている。
【００３８】
ウォークイン機構１０を構成するウォークインレバー１１は、基部を枢軸５４に軸着しており、一方の自由端１１ａには連結ロッド１２の一端が連結枢支されている。この連結ロッド１２の他端は、作動レバー２１の他方の自由端２１ｂに連結枢支されている。
【００３９】
つぎに、この発明の第１の実施の形態の作用を説明する。
【００４０】
まず、図４に示すように、シートスライド装置Ｅがシート部４０のニュートラル位置より前方でロックされている場合について説明する。この場合には、ロック板３０の係止凸部３０ａが引張ばね３３のばね力でロアレール５１の係止切欠部５１ａに圧接係止しており、これによってシート部４０の前後方向の移動が阻止されている。
【００４１】
また、メモリーブラケット２２の他方の自由端２２ｂは、ねじりコイルばね２２ｄのばね力によってメモリーロック解除部材５８と係合可能な位置にあり、メモリー保持ピン２３は基板２４のスライド孔２４ｃの右端に当接して作動レバー２１の一方の自由端２１ａの運動軌跡内に位置している。
【００４２】
さらに、作動レバー２１には、ロックピン３２が引張ばね３３のばね力より圧接しており、その一方の自由端２１ａはメモリー保持ピン２３の上方に位置している。
【００４３】
この図４に示す状態から図５に示すように、シートバック４２を前倒しさせると、作動ピン５７を介してウォークインレバー１１が反時計方向に回動し、連結ロッド１２が矢印Ａ方向に引張られ、作動レバー２１が反時計方向に回動し、ロックピン３２を押し下げる。これによって、ロック板３０が時計方向に回動し、その係止凸部３０ａとロアレール５１の係止切欠溝５１ａとの係止が解かれる。すなわち、シートスライド装置Ｅはロックオフ状態になる。
【００４４】
また、メモリー保持ピン２３は、作動レバー２１の一方の自由端２１ａにより押圧されてスライド孔２４ｃ内を左方向に移動し、これに伴ってメモリーブラケット２２は時計方向にする。
【００４５】
この図５に示す状態から、さらにシートバック４２が前倒しされると、図６に示すように、作動レバー２１はメモリー保持ピン２３の位置を通過し、メモリーブラケット２２はねじりコイルばね２２ｄのばね力より反時計方向に回動し、メモリー保持ピン２３がスライド孔２２ｂの最右端位置に移動し、このメモリー保持ピン２３は作動レバー２１の一方の自由端２１ａとの当接可能位置に移動することになる。
【００４６】
シートスライド装置Ｅがロックオフ状態になると、図７に示すように、シート部４０が最前進位置まで移動することになる。
【００４７】
この図７に示す状態から、図８に示すように、シートバック４２を起立させると、作動レバー２１は引張ばね３３及びねじりコイルばね２１ｃのばね力により時計方向に回動し、その一方の自由端２１ａがメモリー保持ピン２３に圧接係合する。この状態では、ロック板３０の係止凸部３０ａは、ロアレール５１の係止切欠溝５１ａから離脱しているので、シートスライド装置Ｅがロックオフ状態に保持される。
【００４８】
この図８に示す状態から図９に示すように、シート部４０を再びニュートラル位置付近まで後退させると、メモリーブラケット２２の他方の自由端２２ｂがロック解除部材５８の左端面に当接して時計方向に回動し、これに伴ってメモリー保持ピン２３がスライド孔２４ｃ内を左方向に移動し、これによってメモリー保持ピン２３と作動レバー２１の一方の自由端２１ａとの係合が解かれ、シート部４０のニュートラル位置においてシートスライド装置Ｅがロック状態に復帰する。
【００４９】
上述したように、シートバック４２を前倒しにしてシート部４０を前方に移動させた状態でシートバック４２を起立させてもシートスライド装置Ｅをロック解除状態に保持することができるので、シート部４０の移動を容易に行うことができる。
【００５０】
つぎに、図１０に示すように、シートスライド装置Ｅがシート部４０のニュートラル位置より後方でロックされている場合について説明する。この場合には、図４に示した場合と同様ロック板３０の係止凸部３０ａとロアレール５１の係止切欠溝５１ａとの係止により、シート部４０の前後方向の移動が阻止されている。
【００５１】
また、メモリーブラケット２２の他方の自由端２２ｂは、ねじりコイルばね２２ｄのばね力によってメモリーロック解除部材５８の上面に圧接係合しており、メモリー保持ピン２３は基板２４のスライド孔２４ｃの左端に当接している。さらに、作動レバー２１の一方の自由端２１ａは、メモリー保持ピン２３の上方からずれて位置している。
【００５２】
この図１０に示す状態から、図１１に示すように、シートバック４２を前倒しさせると、図５に示した場合と同様、シートスライド装置Ｅがロックオフ状態になるが、この時メモリー保持ピン２３は左側に移動しているので、作動レバー２１の一方の自由端２１ａはメモリー保持ピン２３に当接することなく回動し、メモリー保持ピン２３は左側に保持される。
【００５３】
この図１１に示す状態から、さらに、シートバック４２が前倒しされると図１２に示すように、作動レバー２１の一方の自由端２１ａがメモリー保持ピン２３の下方に移動する。尚、この状態でシートバック４２を起こせば、作動レバー２１の一方の自由端２１ａはメモリー保持ピン２３に当接することなく時計方向に回動し、シートスライド装置Ｅは図１０に示すロック状態になる。
【００５４】
シートスライド装置Ｅがロックオフ状態になると、シート部４０が前進し、図１３に示す位置まで前進すると、メモリーブラケット２２の他方の自由端２２ｂとメモリーロック解除部材５８上面との係合が解かれ、同時にメモリーブラケット２２が反時計方向に回動し、これによって、メモリー保持ピン２３はスライド孔２４ｃの右端に当接する位置まで移動する。
【００５５】
図１４は、図１３に示す状態から、シート部４０が最前進位置まで移動した状態を示しており、このシート部４０の最前進位置からシートバック４２を起立させることなく図１５に示すように、シート部４０をニュートラル位置付近まで後退させると、メモリーブラケット２２の他方の自由端２２ｂがメモリーロック解除部材５８の左端面に当接し、さらに、メモリーロック解除部材５８の上面に当接するようになり、これに伴ってメモリーブラケット２２が時計方向に回動し、メモリー保持ピン２３がスライド孔２４ｃの左端に当接する位置まで移動する。そして、この位置でシートバック４２を起立させると、作動レバー２１の一方の自由端２１ａはメモリー保持ピン２３と係合することなく時計方向に回動すると共に、ロックピン３２が上昇し、ロック板３０の係止凸部３０ａがロアレール５１の係止切欠溝５１ａに係止され、シートスライド装置Ｅはロック状態になる。
【００５６】
上述したこの発明に係る第１の実施の形態によれば、ロック板３０を作動する作動レバー２１及びロック板３０をアンロック状態に保持するメモリーブラケット２２を各軸着用ピン２５，２６により基板２４に軸着し、また作動レバー２１の自由端２１ａ側を保持するメモリー保持ピン２３を基板２４に取り付けることにより、メモリー機構部２０が一体化され、この一体化されたメモリー機構部２０をアッパーレール５２に取り付けるようになっているので、メモリー機構部２０の組付けを極めて容易に行うことができ、組付性の大幅な向上を図ることができる。
【００５７】
また、作動レバー２１の軸着用ピン２５及びメモリーブラケット２２の軸着用ピン２６には、軸方向の位置を決めるつば部２５ａ，２６ａがそれぞれ形成されているので、作動レバー２１及びメモリーブラケット２２の位置決めを容易に行うことができる。
【００５８】
さらに、作動レバー２１をロック及びアンロックするメモリー保持ピン２３は、基板２４及びメモリーブラケット２２にそれぞれ設けられたスライド孔２２ｃ，２４ｃの協働作用により作動レバー２１のロック側及びアンロック側に移動するようになっているので、簡単な構成により作動レバー２１をロック及びアンロックすることができる。
【００５９】
図１６は、この発明に係る第２の実施の形態の図３に相当する説明図である。ただし、第１の実施の形態と同一又は同等の要素には同一の符号を付し、その説明を簡略化する。
【００６０】
この第２の実施の形態では、２枚の基板２７，２８の間にメモリー機構部２０の構成部材が配置可能な空間２０ａを形成し、各基板２７，２８の内側に、作動レバー２１を軸着用ピン２５により軸着すると共に、メモリーブラケット２２を軸着用ピン２６により軸着し、さらに、メモリー保持ピン２３を各基板２７，２８に設けたスライド孔２７ａ，２８ａとメモリーブラケット２２に設けたスライド孔２２ｃに挿通した状態で配置することによりメモリー機構部２０をユニット化し、基板２７，２８をアッパーレール５２に固着することにより、ユニット化されたメモリー機構部２０をアッパーレール５２に取り付けることができるようにしてある。
【００６１】
さらに、この第２の実施の形態の構成を詳細に説明する。
【００６２】
基板２７，２８には、軸着用ピン２５の両端に形成した小径部２５ｃを支持するための軸受部２７ｂ，２８ｂ及び軸着用ピン２６の両端に形成した小径部２６ｃを支持するための軸受部２７ｃ，２８ｃがバーリング加工によりそれぞれ形成されている。また、基板２８とメモリーブラケット２２との間の軸着用ピン２６には、スペーサ２６ｂが介装されている。また、基板２７には、ねじりコイルばね２１ｃを係止するための係止部２７ｅ及びねじりコイルばね２２ｄを係止するための係止部２７ｆが形成されている。
【００６３】
さらに、基板２７，２８には、取付部２７ｄ，２８ｄがそれぞれ形成されており、この取付部２７ｄ，２８ｄを重合してアッパーレール３２にかしめピン２０ｂで固着することにより、メモリー機構部２０はアッパーレール５２に取り付けられている。
【００６４】
その他の構成及び作用は、第１の実施の形態に示すものと同様であり、その説明は省略する。
【００６５】
【発明の効果】
上述した通り、この発明に係る請求項１及び請求項４のシートスライド装置によれば、ロック部材を作動する作動レバー及びロック部材をアンロック状態に保持するメモリーブラケットを各軸着用ピンにより基板に軸着し、また、作動レバーの自由端側を保持するメモリー保持ピンを基板及びメモリーブラケットにそれぞれ設けたスライド孔に挿通することにより、メモリー機構部がユニット化され、このユニット化されたメモリー機構部をアッパーレールに取り付けるようになっているので、メモリー機構部の組付けを極めて容易に行うことができ、組付性の大幅な向上を図ることができる。
【００６６】
また、請求項２及び請求項３のシートスライド装置によれば、作動レバーの軸着用ピン及びメモリーブラケットの軸着用ピンには、軸方向の位置を決めるつば部がそれぞれ形成されているので、作動レバー及びメモリーブラケットの位置決めを容易に行うことができる。
【００６７】
また、請求項５のシートスライド装置によれば、作動レバーをロック及びアンロックするメモリー保持ピンは、基板のスライド孔とメモリーブラケットのスライド孔との協働作用によりロック側及びアンロック側に移動するようになっているので、作動レバーのロック及びアンロックを簡易な構成により行うことができる。
【図面の簡単な説明】
【図１】この発明の第１の実施の形態のシートスライド装置のメモリー機構部の正面視説明図。
【図２】同シートスライド装置のメモリー機構部の平面視説明図。
【図３】同シートスライド装置のメモリー機構部をアッパーレールに取り付けた状態を示す平面視説明図。
【図４】同シートスライド装置の動作説明図。
【図５】同シートスライド装置の動作説明図。
【図６】同シートスライド装置の動作説明図。
【図７】同シートスライド装置の動作説明図。
【図８】同シートスライド装置の動作説明図。
【図９】同シートスライド装置の動作説明図。
【図１０】同シートスライド装置の動作説明図。
【図１１】同シートスライド装置の動作説明図。
【図１２】同シートスライド装置の動作説明図。
【図１３】同シートスライド装置の動作説明図。
【図１４】同シートスライド装置の動作説明図。
【図１５】同シートスライド装置の動作説明図。
【図１６】この発明に係る第２の実施の形態のシートスライド装置の図３に相当する平面視説明図。
【図１７】従来例に係るシートスライド装置のメモリー機構部の正面視説明図。
【符号の説明】
１０  ウォークイン機構部
２０  メモリー機構部
２０ａ  空間部
２１  作動レバー
２２  メモリーブラケット
２２ｃ  スライド孔
２３  メモリー保持ピン
２４  基板
２４ｃ  スライド孔
２５  軸着用ピン
２５ａ  つば部
２６  軸着用ピン
２６ａ  つば部
２６ｂ  スペーサ
２７  基板
２７ａ  スライド孔
２８  基板
２８ａ  スライド孔
３０  ロック部材（ロック板）
４０  シート部
５２  アッパーレール
Ｅ  シートスライド装置
【図１】
0003560765.tif 000002
【図２】
0003560765.tif 000003
【図３】
0003560765.tif 000004
【図４】
0003560765.tif 000005
【図５】
0003560765.tif 000006
【図６】
0003560765.tif 000007
【図７】
0003560765.tif 000008
【図８】
0003560765.tif 000009
【図９】
0003560765.tif 000010
【図１０】
0003560765.tif 000011
【図１１】
0003560765.tif 000012
【図１２】
0003560765.tif 000013
【図１３】
0003560765.tif 000014
【図１４】
0003560765.tif 000015
【図１５】
0003560765.tif 000016
【図１６】
0003560765.tif 000017
【図１７】
0003560765.tif 000018